(57)【要約】【課題】主重り（メインウェイト）よりも短い副重り（サブウェイト）を利用して、従来載せられなかった範囲まで重りを積載できるようにする。【解決手段】本発明の実施形態による釣り合いおもり１０は、下枠１２と、上枠１４と、一対の縦枠１６ａ、１６ｂと、からなる重り枠と、重り枠内に平積みに積載され、両端部がそれぞれ縦枠１６ａ、１６ｂの内側に着脱可能に嵌合する複数のメインウェイト２０と、メインウェイト２０がそれ以上積み込めない状態で最上位にあるメインウェイト２０の上に平積みに積み上げられ、メインウェイト２０を等分に分割した長さを有する複数のサブウェイトと、積み上げられたサブウェイトの重り枠からの脱落を防止するサブウェイト脱落防止手段と、を備えている。【選択図】図１
2017095262.tif 000002
【特許請求の範囲】
【請求項１】
下枠と、上枠と、一対の縦枠と、からなる重り枠と、
前記重り枠内に平積みに積載され、両端部がそれぞれ前記縦枠の内側に着脱可能に嵌合する複数のメインウェイトと、
前記メインウェイトがそれ以上積み込めない状態で最上位にあるメインウェイトの上に平積みに積み上げられ、前記メインウェイトを等分に分割した長さを有する複数のサブウェイトと、
積み上げられた前記サブウェイトの前記重り枠からの脱落を防止するサブウェイト脱落防止手段と、
を備えたことを特徴とするエレベータの釣り合い重り。
【請求項２】
前記サブウェイト脱落防止手段は、
最上位のメインウェイトの上に載置され、前記メインウェイトを２分割したサブウェイトを上から積み込み可能であり、サブウェイト同士の突き合わせ端部を振れないように保持する断面コ字形の第１脱落防止ブラケットと、
最上位のサブウェイトの上で前記第１脱落防止ブラケットに固定され、積み兼ねられた前記サブウェイトを前記第１脱落防止ブラケットと挟持する第２脱落防止ブラケットと、
からなることを特徴とする請求項１に記載のエレベータの釣り合い重り。
【請求項３】
前記サブウェイト脱落防止手段は、
積み重ねられ前記メインウェイトに上から被せるように装着される断面コ字形の脱落防止ブラケットと、
前記脱落防止ブラケットの上面から垂直に植設され、前記メインウェイトを２分割した前記サブウェイト同士の突き合わせ端部に形成される穴に挿通可能な２本のスタッドボルトと、
前記スタッドボルトに締着されるナットと、
からなることを特徴とする請求項１に記載のエレベータの釣り合い重り。
【請求項４】
前記サブウェイト脱落防止手段は、
前記メインウェイトを２分割したサブウェイト同士の突き合わせ端部のうち、一方の端部には蟻溝が形成され、他方の端部には蟻ほぞが形成されている継手部からなることを特徴とする請求項１に記載のエレベータの釣り合い重り。
【請求項５】
前記サブウェイト脱落防止手段は、前記メインウェイトを２分割した前記サブウェイト同士の突き合わせ端部が着脱可能に嵌合し、最上位のメインウェイトに固定されたＨ形の脱落防止ブラケットからなることを特徴とする請求項１に記載のエレベータの釣り合い重り。
【発明の詳細な説明】
【技術分野】
【０００１】
本発明の実施形態は、エレベータの釣り合い重りに関する。
【背景技術】
【０００２】
エレベータでは、乗りかごとの釣り合いをとるために、乗りかごの重量にバランスする釣り合い重りが設けられている。従来の釣り合い重りは、左右一対の縦枠に上枠と下枠を四方組みて組みにした重り枠を備えている。この重り枠には、重りが幾段にも重ねるようにして積み上げられる。
【０００３】
乗りかごの重量や積載量は、相当な重量になるので、積載する重りの数も多くなる。従来、重りには、重り枠の縦枠の間隔に対応した細長い重りが利用されている。縦枠には、Ｃ形鋼やＨ形鋼が用いられており、重りの両端は縦枠に嵌まって保持されるようになっている。通常、重り枠には水平な姿勢で重りが入らないため、重り枠に重りを載せるには、斜めにして入れる必要がある。
【０００４】
釣り合い重りでは、重りの数が多くなると、重り枠の縦枠が広がる方向に撓み、重りが脱落する虞が生じる。重り枠においては、縦枠の強度は極めて重要な要素である。このような釣り合い重りの重り枠の強度を高める先行技術としては、例えば、特許文献１に記載されている釣り合い重りを挙げることができる。
【先行技術文献】
【特許文献】
【０００５】
【特許文献１】特開２００５−２６３３５１号公報
【発明の開示】
【発明が解決しようとする課題】
【０００６】
重りを斜めにして重り枠に入れる場合、積み重ねた重りの段数が増えると、やがて枠が重りに干渉して、積み込めなくなる限界に達する。この状態では、重り枠の上部には重りを積載できないため、最上段の重りから上の縦枠と上枠の間は何もない空間として残り、重りを載せられない領域がある分だけ、支点間距離が延びることになる。  
このような重りの積載状態で、縦枠の強度計算をすると、強度不足になる可能性があるという問題があった。
【０００７】
本発明は、前記従来技術の有する問題点に鑑みなされたものであって、主重り（メインウェイト）よりも短い副重り（サブウェイト）を利用して、従来載せられなかった範囲まで重りを積載できるようにしたエレベータの釣り合い重りを提供することを目的としている。
【課題を解決するための手段】
【０００８】
前記の目的を達成するために、本発明の実施形態によるエレベータの釣り合い重りは、下枠と、上枠と、一対の縦枠と、からなる重り枠と、前記重り枠内に平積みに積載され、両端部がそれぞれ前記縦枠の内側に着脱可能に嵌合する複数のメインウェイトと、前記メインウェイトがそれ以上積み込めない状態で最上位にあるメインウェイトの上に平積みに積み上げられ、前記メインウェイトを等分に分割した長さを有する複数のサブウェイトと、  積み上げられた前記サブウェイトの前記重り枠からの脱落を防止するサブウェイト脱落防止手段と、を備えたことを特徴とするものである。
【図面の簡単な説明】
【０００９】
【図１】本発明の第１実施形態によるエレベータの釣り合い重りを示す正面図である。
【図２】第１実施形態によるエレベータの釣り合い重りにメインウェイトを積載した状態を正面図である。
【図３】本発明の第１実施形態によるエレベータの釣り合い重りの備えるサブウェイトの脱落防止手段を示す斜視図である。
【図４】本発明の第２実施形態によるエレベータの釣り合い重りの備えるサブウェイトの脱落防止手段を示す斜視図である。
【図５】本発明の第３実施形態によるエレベータの釣り合い重りの備えるサブウェイトの脱落防止手段を示す斜視図である。
【図６】本発明の第４実施形態によるエレベータの釣り合い重りの備えるサブウェイトの脱落防止手段を示す斜視図である。
【発明を実施するための最良の形態】
【００１０】
以下、本発明によるエレベータの釣り合い重りの一実施形態について、添付の図面を参照しながら説明する。  
（第１実施形態）  
図１は、本発明の第１実施形態によるエレベータの釣り合い重りを示す正面図である。図１において、参照番号１０は、釣り合い重りの全体を示している。
【００１１】
この釣り合い重り１０の重り枠は、下枠１２と、上枠１４と、一対の縦枠１６ａ、１６ｂからなる枠部材の四方組みにより構成されている。このような重り枠は、従来の一般的な枠構造である。重り枠の内側には、乗りかごの重量および積載重量に対応する重量分の重りが積み上げるようにして平積みで積載されている。
【００１２】
本実施形態の釣り合い重りでは、積載される重りには、メインウェイト（主重り）２０とサブウェイト（副重り）２２の２種類の重りが用いられている。このうち、メインウェイト２０は、縦枠１６ａ、１６ｂの間隔に対応する長さを有する重りである。これに対して、サブウェイト２２は、メインウェイト２０の半分の長さを有する重りである。
【００１３】
縦枠１６ａ、１６ｂには、横断面がコ字形のＣ形鋼が用いられている。縦枠１６ａ、１６ｂは、凹になった側が互いに向き合うようになっている。図２において、メインウェイト２０の幅の狭くなった両側の端部２０ａ、２０ｂは、それぞれ縦枠１６ａ、１６ｂの内側の凹部に着脱可能に嵌合する。
【００１４】
図２に示されるように、釣り合い重り１０には、メインウェイト２０から先に積載される。メインウェイト２０を順次積み上げていく場合、メインウェイト２０を斜めの姿勢にしながら、一方の端部２０ａを縦枠１６ａに先に嵌めてから、他方の端部２０ｂを縦枠１６ｂに嵌めることになる。
【００１５】
こうして、メインウェイト２０を積み上げていくと、やがてメインウェイト２０を斜めにして重り枠に入れようとしても、入らなくなる限界に達する。メインウェイト２０の端部２０ａ、２０ｂが縦枠１６ａ、１６ｂに当たって内側に入らなくなるからである。そこで、本実施形態による釣り合い重り１０では、図３に示されるように、メインウェイト２０に重ねて、サブウェイト２２を積むことができる。
【００１６】
サブウェイト２２の一端部には、メインウェイト２０と同様に、縦枠１６ａ、１６ｂに着脱可能嵌合する端部２５が形成されている。この場合、サブウェイト２２の長さは、メインウェイト２０のちょうど半分であり、２枚のサブウェイト２２を長さ方向につなげると、一対のサブウェイト２２はメインウェイト２０一枚分に相当し、メインウェイト２０を２分割した形になっている。なお、サブウェイト２２の厚さは、メインウェイト２０の厚さと同じにする必要はない。重り重量をサブウェイト２２で調整できるように、適当な厚さのサブウェイト２２を複数用意してもよい。
【００１７】
メインウェイト２０は、その両端部２０ａ、２０ｂが縦枠１６ａ、１６ｂに嵌合することで、長手方向に拘束されているのに対して、サブウェイト２２の方は、一方の端部２５だけが縦枠１６ａ、１６ｂに拘束されているので、地震発生時の振動や、非常停止時の衝撃で、サブウェイト２２が脱落する可能性がある。
【００１８】
本実施形態の釣り合い重り１０では、次のような脱落防止手段が設けられている。  
図３において、脱落防止手段は、サブウェイト２２を下から抱え込むようにして取り付けられる横断面がコ字形の第１脱落防止ブラケット２６と、最上位にあるサブウェイト２２に載せられる横断面がＬ字形の第２脱落防止ブラケット２８と、から構成されている。
【００１９】
第１脱落防止ブラケット２６は、方形の鋼板がコ字形に曲折されてなるブラケットであり、正面板部２７ａおよび背面板部２７ｂを有している。正面板部２７ａと背面板部２７ｂの間隔は、サブウェイト２２の幅と対応するようになっている。また、正面板部２７ａおよび背面板部２７ｂには、２つの長穴２９が上下方向に平行に延びるように形成されている。
【００２０】
第２脱落防止ブラケット２８は、メインウェイト２０よりも短いＬ形鋼が用いられている。第２脱落防止ブラケット２８には、第１脱落防止ブラケット２６の各長穴２９に対応するボルト穴３０が２箇所に形成されている。
【００２１】
本実施形態によるエレベータの釣り合い重りは、以上のように構成される物で有り、次に、その作用および効果について説明する。
【００２２】
図３において、メインウェイト２０を積載限界まで載せた後は、最上位のメインウェイト２０の上に第１脱落防止ブラケット２６を載せて置く。このとき、第１脱落防止ブラケット２６は、上に開いた姿勢になっているので、第１脱落防止ブラケット２６にサブウェイト２２の一端を入れ、他端の端部２５を縦枠１６ａ、１６ｂに嵌めるようにして、サブウェイト２２を左右交互に積み上げることができる。
【００２３】
このようにして、メインウェイト２０を積めなかった範囲までサブウェイト２２を容易に積載することができる。これによって、縦枠１６ａ、１６ｂの強度低下を防止することができる。なお、長穴２９の長さに対応する範囲において、第１脱落防止ブラケット２６を利用してサブウェイト２２を積み上げることが可能である。これにより、サブウェイト２２の数で釣り合い重り１０の重量調節が可能である。
【００２４】
次に、必要な数のサブウェイト２２を積み上げたら、一番上のサブウェイト２２の上に２本の第２脱落防止ブラケット２８を長手方向に沿って載せる。第２脱落防止ブラケット２８のボルト穴３０を第１脱落防止ブラケット２６の長穴２９に合わせてから、ボルト３１を入れるとともにナット３２で締結する。これによって第２脱落防止ブラケット２８は、最上位のサブウェイト２２の上で第１脱落防止ブラケット２６と一体的に固定される。
【００２５】
この状態では、縦枠１６ａ、１６ｂに嵌合していない方のサブウェイト２２の突き合わせ端部は、第１脱落防止ブラケット２６によって振れないように拘束されとともに、上下方向にも動かないように拘束されるので、サブウェイト２２の脱落を確実に防止することができる。
【００２６】
なお、図１に示されるように、縦枠１６ａ、１６ｂには、それぞれウェイト押え３３を取り付けておくのが好ましい。このウェイト押え３３により、縦枠１６ａ、１６ｂに嵌合しているサブウェイト２２の端部が浮き上がらないように上から押さえ付けることができる。
【００２７】
（第２実施形態）  
次に、本発明の第２実施形態によるエレベータの釣り合い重りについて、図４を参照して説明する。  
この第２実施形態は、サブウェイト２２の脱落防止手段の構成が上述した第１実施形態とは相違し、それ以外の構成は第１実施形態と同じであり、同一の構成要素には同一の参照番号を付してその説明は省略する。
【００２８】
この第２実施形態では、コ字形の脱落防止ブラケット３４と、スタッドボルト３５およびナット３６と、から脱落防止手段が構成されている。この第２実施形態での脱落防止ブラケット３４は、第１実施形態の第１脱落防止ブラケット２６とは上下が逆になっているとともに、上面板部３７には、２本のスタッドボルト３５が垂直に立ち上がるように溶接されている。
【００２９】
以上のような第２実施形態による釣り合い重り１０では、次のようにしてメインウェイト２０およびサブウェイト２２を積載することができる。
【００３０】
まず、メインウェイト２０を積載限界まで積み上げた後、図４に示されるように、脱落防止ブラケット３４をメインウェイト２０の真ん中に上から被せるように載せる。脱落防止ブラケット３４には、スタッドボルト３５が立っているので、このスタッドボルト３５をサブウェイト２２の穴に入れるようにして、一個ずつサブウェイト２２を積み重ねていく。必要な数のサブウェイト２２を積み重ねたら、ナット３６をスタッドボルト３５に締結する。
【００３１】
以上のようにして、第１実施形態と同様に、メインウェイト２０を積めなかった範囲までサブウェイト２２を容易に積載することができるので、縦枠１６ａ、１６ｂの強度低下を防止することができる。また、脱落防止ブラケット３４とスタッドボルト３５およびナット３６の締結により、サブウェイト２２は、上下方向に動かないように拘束されるので、サブウェイト２２の脱落を確実に防止することができる。
【００３２】
（第３実施形態）  
次に、図５は、サブウェイト２２のさらに別の構成の脱落防止手段を備えた釣り合い重り１０を示す。
【００３３】
この第３実施形態は、第１実施形態、第２実施形態のような、脱落防止ブラケット２８、３４を用いる替わりに、お互い同士が突き当たるサブウェイト２２の突き合わせ端部に、凹凸で嵌合し合う継手部４０、４１から脱落防止手段を構成した実施の形態である。それ以外の構成は第１実施形態と同じであり、同一の構成要素には同一の参照番号を付してその説明は省略する。  
一方側のサブウェイト２２の継手部４０には蟻溝が形成され、他方の側のサブウェイト２２の継手部４１は蟻ほぞが形成されている。
【００３４】
以上のような第３実施形態によれば、まず、メインウェイト２０を積載限界まで積み上げた後、図５に示されるように、継手部４０が蟻溝になっている方のサブウェイト２２を一番上のメインウェイト２０に載せる。そして、継手部４１が蟻ほぞになっている方のサブウェイト２２を上から、蟻ほぞを蟻溝に嵌合させせる。そして、継手部４１が蟻ほぞになっている方向のサブウェイト２２を上から、蟻ほぞを蟻溝に嵌合させせる。こうして、サブウェイト２２を蟻溝と蟻ほぞからなる継手部４０、４１をはめ込みなが、必要な数のサブウェイト２２を積み重ねることができる。
【００３５】
以上のようにして、第１実施形態と同様に、メインウェイト２０を積めなかった範囲までサブウェイト２２を容易に積載することができ、また、蟻溝と蟻ほぞの嵌め合いによりサブウェイト２２は縦枠１６ａ、１６ｂによって拘束されるので、脱落を確実に防止することができる。
【００３６】
（第４実施形態）
次に、本発明の第４実施形態によるエレベータの釣り合い重りについて、図６を参照して説明する。  
この第４実施形態では、第１実施形態の第１脱落防止ブラケット２６、あるいは第２実施形態の脱落防止ブラケット３４はコ字形のブラケットを用いる替わりに、Ｈ形の脱落防止ブラケット４５を用いた実施の形態である。それ以外の構成は第１実施形態と同じであり、同一の構成要素には同一の参照番号を付してその説明は省略する。
【００３７】
この第４実施形態において用いられる脱落防止ブラケット４５は、フランジ４６ａ、４６ｂとウェブ４７とがＨ形をなすブラケットである。サブウェイト２２では、両側の端部２５ｂは、本体の幅よりも幅が狭くなっており、メインウェイト２０の幅の狭くなった両側の端部２０ａ、２０ｂと同様の形状になっている。
【００３８】
この場合、サブウェイト２２の一方の端部２５は、縦枠１６ａ、１６ｂの内側の凹部に着脱可能に嵌合し、他方の突き合わせ端部は、フランジ４６ａ、４６ｂとウェブ４７によって形成される凸部に着脱可能に嵌合するようになっている。
【００３９】
以上のような第４実施形態によれば、まず、メインウェイト２０を積載限界まで積み上げるが、図５に示されるように、Ｈ形の脱落防止ブラケット４５を立った姿勢で溶接されたメインウェイト２０が一番上に用いられる。そして、サブウェイト２２を上から、その一方の端部２５を縦枠１６ａ、１６ｂの内側凹部に嵌め、他方の端部を脱落防止ブラケット４５の凹部に嵌めるようにして、必要な数のサブウェイト２２を積み上げることができる。
【００４０】
以上のようにして、第１実施形態と同様に、メインウェイト２０を積めなかった範囲までサブウェイト２２を容易に積載することができ、縦枠１６ａ、１６ｂの強度低下を防止することができる。また、各サブウェイト２２は縦枠１６ａ、１６ｂと脱落防止ブラケット４５によって拘束されるので、脱落を確実に防止することができる。
【００４１】
以上、本発明に係るエレベータの釣り合い重りについて、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００４２】
１０…釣り合い重り、１２…下枠、１４…上枠、１６ａ、１６ｂ…縦枠、２０…メインウェイト、２２…サブウェイト、２６…第１脱落防止ブラケット、２８…第２脱落防止ブラケット、２９…長穴、３４…脱落防止ブラケット、３５…スタッドボルト、３６…ナット、４０…継手部、４１…継手部、４５…脱落防止ブラケット
【図１】
2017095262.tif 000003
【図２】
2017095262.tif 000004
【図３】
2017095262.tif 000005
【図４】
2017095262.tif 000006
【図５】
2017095262.tif 000007
【図６】
2017095262.tif 000008
【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
下枠と、上枠と、一対の縦枠と、からなる重り枠と、
前記重り枠内に平積みに積載され、両端部がそれぞれ前記縦枠の内側に着脱可能に嵌合する複数のメインウェイトと、
前記メインウェイトがそれ以上積み込めない状態で最上位にあるメインウェイトの上に平積みに積み上げられ、前記メインウェイトを等分に分割した長さを有する複数のサブウェイトと、
積み上げられた前記サブウェイトの前記重り枠からの脱落を防止するサブウェイト脱落防止手段と、
を備え、
前記サブウェイト脱落防止手段は、
最上位のメインウェイトの上に載置され、前記メインウェイトを２分割したサブウェイトを上から積み込み可能であり、サブウェイト同士の突き合わせ端部を振れないように保持する断面コ字形の第１脱落防止ブラケットと、
最上位のサブウェイトの上で前記第１脱落防止ブラケットに固定され、積み上げられた前記サブウェイトを前記第１脱落防止ブラケットと挟持する第２脱落防止ブラケットと、
からなることを特徴とするエレベータの釣り合い重り。
【請求項２】
下枠と、上枠と、一対の縦枠と、からなる重り枠と、
前記重り枠内に平積みに積載され、両端部がそれぞれ前記縦枠の内側に着脱可能に嵌合する複数のメインウェイトと、
前記メインウェイトがそれ以上積み込めない状態で最上位にあるメインウェイトの上に平積みに積み上げられ、前記メインウェイトを等分に分割した長さを有する複数のサブウェイトと、
積み上げられた前記サブウェイトの前記重り枠からの脱落を防止するサブウェイト脱落防止手段と、
を備え、
前記サブウェイト脱落防止手段は、
積み重ねられ前記メインウェイトに上から被せるように装着される断面コ字形の脱落防止ブラケットと、
前記脱落防止ブラケットの上面から垂直に植設され、前記メインウェイトを２分割した前記サブウェイト同士の突き合わせ端部に形成される穴に挿通可能な２本のスタッドボルトと、
前記スタッドボルトに締着されるナットと、
からなることを特徴とするエレベータの釣り合い重り。
【請求項３】
下枠と、上枠と、一対の縦枠と、からなる重り枠と、
前記重り枠内に平積みに積載され、両端部がそれぞれ前記縦枠の内側に着脱可能に嵌合する複数のメインウェイトと、
前記メインウェイトがそれ以上積み込めない状態で最上位にあるメインウェイトの上に平積みに積み上げられ、前記メインウェイトを等分に分割した長さを有する複数のサブウェイトと、
積み上げられた前記サブウェイトの前記重り枠からの脱落を防止するサブウェイト脱落防止手段と、
を備え、
前記サブウェイト脱落防止手段は、前記メインウェイトを２分割した前記サブウェイト同士の突き合わせ端部が着脱可能に嵌合し、最上位のメインウェイトに固定されたＨ形の脱落防止ブラケットからなることを特徴とするエレベータの釣り合い重り。